(57)【要約】  【課題】  通信動作を行う部分への電力の供給が停止されているということを利用者以外の人に認識させることができる移動無線装置を提供すること。  【解決手段】  移動無線装置１０は、所定の電力以上の電力での通信動作である所定電力通信動作を行う第１動作部としての通信部１１と、所定電力通信動作以外の動作を行う第２動作部としての非通信部１２と、通信部１１及び非通信部１２への電力の供給を制御する電力供給制御部１３と、電力供給制御部１３によって通信部１１への電力の供給が停止されているときに通信部１１への電力の供給が停止されていることを表示する電力供給停止表示部１４とを備える。【選択図】  図１
2005192131.tif 000002
【特許請求の範囲】
【請求項１】
所定の電力以上の電力での通信動作である所定電力通信動作を行う第１動作部と、前記所定電力通信動作以外の動作を行う第２動作部と、前記第１動作部及び前記第２動作部への電力の供給を制御する電力供給制御部と、前記電力供給制御部によって前記第１動作部への電力の供給が停止されているときに前記第１動作部への電力の供給が停止されていることを表示する電力供給停止表示部とを備えたことを特徴とする移動無線装置。
【請求項２】
利用者によって操作される操作部を備え、
前記電力供給制御部は、前記操作部への操作に応じて動作することを特徴とする請求項１に記載の移動無線装置。
【請求項３】
前記所定の電力より小さい電力での通信動作を行う小電力通信動作部と、前記小電力通信動作部の通信動作によって取得された情報に基づいて現在位置が前記所定電力通信動作の禁止場所であるか否かを判断する禁止場所判断部と、前記現在位置が前記所定電力通信動作の禁止場所であると前記禁止場所判断部によって判断されたときに前記所定電力通信動作が禁止されていることを報知する禁止報知部とを備えたことを特徴とする請求項１に記載の移動無線装置。
【請求項４】
前記所定の電力より小さい電力での通信動作を行う小電力通信動作部と、前記小電力通信動作部の通信動作によって取得された情報に基づいて現在位置が前記所定電力通信動作の禁止場所であるか否かを判断する禁止場所判断部とを備え、
前記電力供給制御部は、前記禁止場所判断部による判断結果に応じて前記第１動作部への電力の供給を制御することを特徴とする請求項１に記載の移動無線装置。
【請求項５】
現在時間を取得する現在時間取得部と、前記現在時間取得部によって取得された前記現在時間が前記所定電力通信動作の禁止時間であるか否かを判断する禁止時間判断部と、前記現在時間が前記所定電力通信動作の禁止時間であると前記禁止時間判断部によって判断されたときに前記所定電力通信動作が禁止されていることを報知する禁止報知部とを備えたことを特徴とする請求項１に記載の移動無線装置。
【請求項６】
現在時間を取得する現在時間取得部と、前記現在時間取得部によって取得された前記現在時間が前記所定電力通信動作の禁止時間であるか否かを判断する禁止時間判断部とを備え、
前記電力供給制御部は、前記禁止時間判断部による判断結果に応じて前記第１動作部への電力の供給を制御することを特徴とする請求項１に記載の移動無線装置。
【発明の詳細な説明】
【技術分野】
【０００１】
本発明は、携帯電話機などの移動無線装置に関する。
【背景技術】
【０００２】
従来、利用者によって電源がオフにされたときに通信動作を行う部分への電力の供給が停止される携帯端末が知られている（例えば、特許文献１参照。）。
【特許文献１】特開平１１−１２７１０１号公報（第２頁）
【発明の開示】
【発明が解決しようとする課題】
【０００３】
しかしながら、上述した従来の移動無線装置においては、通信動作を行う部分への電力の供給が停止されているということを利用者以外の人に認識させ難いという問題が有った。
【０００４】
本発明は、従来の問題を解決するためになされたもので、通信動作を行う部分への電力の供給が停止されているということを利用者以外の人に認識させることができる移動無線装置を提供することを目的とする。
【課題を解決するための手段】
【０００５】
本発明の移動無線装置は、所定の電力以上の電力での通信動作である所定電力通信動作を行う第１動作部と、前記所定電力通信動作以外の動作を行う第２動作部と、前記第１動作部及び前記第２動作部への電力の供給を制御する電力供給制御部と、前記電力供給制御部によって前記第１動作部への電力の供給が停止されているときに前記第１動作部への電力の供給が停止されていることを表示する電力供給停止表示部とを備えた構成を有している。
【０００６】
この構成により、本発明の移動無線装置は、第１動作部への電力の供給が停止されていることを電力供給停止表示部によって表示するので、所定電力通信動作を行う第１動作部への電力の供給が停止されているということを利用者以外の人に認識させることができる。
【０００７】
また、本発明の移動無線装置は、利用者によって操作される操作部を備え、前記電力供給制御部は、前記操作部への操作に応じて動作する構成を有している。
【０００８】
この構成により、本発明の移動無線装置は、第１動作部への電力の供給状態を利用者に操作させることができる。
【０００９】
また、本発明の移動無線装置は、前記所定の電力より小さい電力での通信動作を行う小電力通信動作部と、前記小電力通信動作部の通信動作によって取得された情報に基づいて現在位置が前記所定電力通信動作の禁止場所であるか否かを判断する禁止場所判断部と、前記現在位置が前記所定電力通信動作の禁止場所であると前記禁止場所判断部によって判断されたときに前記所定電力通信動作が禁止されていることを報知する禁止報知部とを備え構成を有している。
【００１０】
この構成により、本発明の移動無線装置は、現在位置が所定電力通信動作の禁止場所であるときに禁止報知部によって報知するので、所定電力通信動作が禁止されていることを利用者に認識させることができる。
【００１１】
また、本発明の移動無線装置は、前記所定の電力より小さい電力での通信動作を行う小電力通信動作部と、前記小電力通信動作部の通信動作によって取得された情報に基づいて現在位置が前記所定電力通信動作の禁止場所であるか否かを判断する禁止場所判断部とを備え、前記電力供給制御部は、前記禁止場所判断部による判断結果に応じて前記第１動作部への電力の供給を制御する構成を有している。
【００１２】
この構成により、本発明の移動無線装置は、現在位置が所定電力通信動作の禁止場所であるか否かに応じて第１動作部への電力の供給が自動的に制御されるので、現在位置が所定電力通信動作の禁止場所であるか否かに応じて利用者が第１動作部への電力の供給状態を操作しなければならない場合と比較して利用者の負担を軽減することができる。
【００１３】
また、本発明の移動無線装置は、現在時間を取得する現在時間取得部と、前記現在時間取得部によって取得された前記現在時間が前記所定電力通信動作の禁止時間であるか否かを判断する禁止時間判断部と、前記現在時間が前記所定電力通信動作の禁止時間であると前記禁止時間判断部によって判断されたときに前記所定電力通信動作が禁止されていることを報知する禁止報知部とを備えた構成を有している。
【００１４】
この構成により、本発明の移動無線装置は、現在時間が所定電力通信動作の禁止時間であるときに禁止報知部によって報知するので、所定電力通信動作が禁止されていることを利用者に認識させることができる。
【００１５】
また、本発明の移動無線装置は、現在時間を取得する現在時間取得部と、前記現在時間取得部によって取得された前記現在時間が前記所定電力通信動作の禁止時間であるか否かを判断する禁止時間判断部とを備え、前記電力供給制御部は、前記禁止時間判断部による判断結果に応じて前記第１動作部への電力の供給を制御する構成を有している。
【００１６】
この構成により、本発明の移動無線装置は、現在時間が所定電力通信動作の禁止時間であるか否かに応じて第１動作部への電力の供給が自動的に制御されるので、現在時間が所定電力通信動作の禁止時間であるか否かに応じて利用者が第１動作部への電力の供給状態を操作しなければならない場合と比較して利用者の負担を軽減することができる。
【発明の効果】
【００１７】
以上に説明したように、本発明によれば、通信動作を行う部分への電力の供給が停止されているということを利用者以外の人に認識させることができる移動無線装置を提供することができる。
【発明を実施するための最良の形態】
【００１８】
以下、本発明の実施の形態について、図面を用いて説明する。
【００１９】
（第１の実施の形態）
まず、第１の実施の形態に係る移動無線装置の構成について説明する。
【００２０】
図１及び図２に示すように、本実施の形態に係る移動無線装置１０は、所定の電力以上の電力での通信動作である所定電力通信動作を行う第１動作部としての通信部１１と、所定電力通信動作以外の動作を行う第２動作部としての非通信部１２と、通信部１１及び非通信部１２への電力の供給を制御する電力供給制御部１３と、電力供給制御部１３によって通信部１１への電力の供給が停止されているときに通信部１１への電力の供給が停止されていることを表示する電力供給停止表示部１４と、利用者によって操作されるボタンなどの操作部１５と、利用者の操作を支援するメニュー画面などを表示可能な図示していないディスプレイとを備えている。
【００２１】
また、電力供給制御部１３は、操作部１５への操作に応じて動作するようになっている。
【００２２】
また、電力供給停止表示部１４は、例えば移動無線装置１０の背面など、通信部１１への電力の供給が停止されているということを移動無線装置１０の利用者以外の人に認識させることができる位置に配置されている。
【００２３】
また、電力供給制御部１３、電力供給停止表示部１４及び操作部１５は、所定電力通信動作以外の動作を行う本発明の第２動作部を構成している。
【００２４】
次に、移動無線装置１０の動作について説明する。
【００２５】
電力供給制御部１３によって通信部１１へ電力が供給されているとき、電力供給停止表示部１４は図２（ａ）に示すように消灯している。
【００２６】
ここで、電力供給制御部１３によって通信部１１への電力の供給が停止されるように、利用者がディスプレイのメニュー画面を見ながら操作部１５を操作すると、電力供給制御部１３は、利用者による操作部１５への操作に応じて通信部１１への電力の供給を停止する。電力供給制御部１３によって通信部１１への電力の供給が停止されると、電力供給停止表示部１４は、図２（ｂ）に示すように、点灯して「通信オフ」という文字を浮かび上がらせることによって、通信部１１への電力の供給が停止されていることを表示する。
【００２７】
また、電力供給制御部１３によって通信部１１へ電力が供給されるように、利用者がディスプレイのメニュー画面を見ながら操作部１５を操作すると、電力供給制御部１３は、利用者による操作部１５への操作に応じて通信部１１へ電力を供給する。電力供給制御部１３によって通信部１１へ電力が供給されると、電力供給停止表示部１４は、図２（ａ）に示すように、消灯して「通信オフ」という文字を消す。
【００２８】
また、電力供給停止表示部１４の動作とは関係ないが、電力供給制御部１３は、利用者による操作部１５への操作に応じて、非通信部１２への電力の供給を停止し、又は非通信部１２へ電力を供給する。
【００２９】
以上に説明したように、移動無線装置１０は、通信部１１への電力の供給が停止されていることを電力供給停止表示部１４によって表示するので、所定電力通信動作を行う通信部１１への電力の供給が停止されているということを利用者以外の人に認識させることができる。
【００３０】
また、移動無線装置１０は、通信部１１への電力の供給状態を利用者に操作させることができる。
【００３１】
なお、電力供給停止表示部１４は、通信部１１への電力の供給が停止されていることを、例えば電力供給停止表示部１４の点滅など、上述した表示方法以外の方法で表示するようになっていても良い。
【００３２】
（第２の実施の形態）
まず、第２の実施の形態に係る移動無線装置の構成について説明する。なお、第２の実施の形態に係る移動無線装置の構成のうち、第１の実施の形態に係る移動無線装置１０（図１参照。）の構成と同様な構成については、移動無線装置１０の構成と同一の符号を付して詳細な説明を省略する。
【００３３】
図３に示すように、本実施の形態に係る移動無線装置２０の構成は、所定の電力より小さい電力での通信部１１より短距離の通信動作を行う小電力通信動作部としての小電力短距離通信部２１と、小電力短距離通信部２１の通信動作によって取得された情報に基づいて現在位置が所定電力通信動作の禁止場所であるか否かを判断する禁止場所判断部２２と、現在時間を取得する現在時間取得部２３と、現在時間取得部２３によって取得された現在時間が所定電力通信動作の禁止時間であるか否かを判断する禁止時間判断部２４と、現在位置が所定電力通信動作の禁止場所であると禁止場所判断部２２によって判断されたとき又は現在時間が所定電力通信動作の禁止時間であると禁止時間判断部２４によって判断されたときに所定電力通信動作が禁止されていることを音声、表示、振動などによって報知する禁止報知部としての通信禁止報知部２５とを、操作部１５（図１参照。）に代えて移動無線装置１０（図１参照。）が備えた構成と同様である。
【００３４】
また、電力供給制御部１３は、禁止場所判断部２２及び禁止時間判断部２４による判断結果に応じて通信部１１への電力の供給を制御するようになっている。
【００３５】
また、小電力短距離通信部２１、禁止場所判断部２２、現在時間取得部２３、禁止時間判断部２４及び通信禁止報知部２５は、所定電力通信動作以外の動作を行う本発明の第２動作部を構成している。
【００３６】
次に、移動無線装置２０の動作について説明する。
【００３７】
なお、電力供給制御部１３によって通信部１１への電力の供給が停止されているときに通信部１１への電力の供給が停止されていることを電力供給停止表示部１４が表示する動作については、第１の実施の形態に係る移動無線装置１０の動作と同様であるので説明を省略する。
【００３８】
利用者が移動無線装置２０を所定電力通信動作の禁止場所に移動させると、小電力短距離通信部２１は、現在位置が所定電力通信動作の禁止場所であるという情報を禁止場所に設置されている図示していない外部の通信機器から受信する。現在位置が所定電力通信動作の禁止場所であるという情報を小電力短距離通信部２１が受信すると、禁止場所判断部２２は、小電力短距離通信部２１によって受信された情報に基づいて現在位置が所定電力通信動作の禁止場所であると判断する。
【００３９】
また、禁止時間判断部２４は、現在時間取得部２３によって取得された現在時間が所定電力通信動作の禁止時間であるか否かを所定の時間毎に判断する。
【００４０】
そして、通信禁止報知部２５は、現在位置が所定電力通信動作の禁止場所であると禁止場所判断部２２によって判断されたとき又は現在時間が所定電力通信動作の禁止時間であると禁止時間判断部２４によって判断されたときに、所定電力通信動作が禁止されていることを音声、表示、振動などによって報知する。
【００４１】
また、電力供給制御部１３は、現在位置が所定電力通信動作の禁止場所であると禁止場所判断部２２によって判断されたとき又は現在時間が所定電力通信動作の禁止時間であると禁止時間判断部２４によって判断されたときに、通信部１１への電力の供給を停止する。また、電力供給制御部１３は、現在位置が所定電力通信動作の禁止場所ではないと禁止場所判断部２２によって判断されたとき及び現在時間が所定電力通信動作の禁止時間ではないと禁止時間判断部２４によって判断されたときに、通信部１１へ電力を供給する。
【００４２】
以上に説明したように、移動無線装置２０は、現在位置が所定電力通信動作の禁止場所であるときに通信禁止報知部２５によって報知するので、所定電力通信動作が禁止されていることを利用者に認識させることができる。
【００４３】
また、移動無線装置２０は、現在位置が所定電力通信動作の禁止場所であるか否かに応じて通信部１１への電力の供給が自動的に制御されるので、現在位置が所定電力通信動作の禁止場所であるか否かに応じて利用者が通信部１１への電力の供給状態を操作しなければならない場合と比較して利用者の負担を軽減することができる。
【００４４】
また、移動無線装置２０は、現在時間が所定電力通信動作の禁止時間であるときに通信禁止報知部２５によって報知するので、所定電力通信動作が禁止されていることを利用者に認識させることができる。
【００４５】
また、移動無線装置２０は、現在時間が所定電力通信動作の禁止時間であるか否かに応じて通信部１１への電力の供給が自動的に制御されるので、現在時間が所定電力通信動作の禁止時間であるか否かに応じて利用者が通信部１１への電力の供給状態を操作しなければならない場合と比較して利用者の負担を軽減することができる。
【００４６】
なお、移動無線装置２０は、現在位置が所定電力通信動作の禁止場所であるという情報を外部の通信機器から小電力短距離通信部２１によって取得し、小電力短距離通信部２１によって取得した情報に基づいて現在位置が所定電力通信動作の禁止場所であるか否かを禁止場所判断部２２によって判断するようになっているが、予め禁止場所の位置のデータベースを記憶しておき、現在位置の情報を外部の通信機器から小電力短距離通信部２１によって取得し、小電力短距離通信部２１によって取得した現在位置の情報と、禁止場所の位置のデータベースとに基づいて現在位置が所定電力通信動作の禁止場所であるか否かを禁止場所判断部２２によって判断するようになっていても良い。
【産業上の利用可能性】
【００４７】
以上のように、本発明に係る移動無線装置は、通信動作を行う部分への電力の供給が停止されているということを利用者以外の人に認識させることができるという効果を有し、携帯電話機などとして有用である。
【図面の簡単な説明】
【００４８】
【図１】本発明の第１の形態に係る移動無線装置のブロック図
【図２】（ａ）電力供給停止表示部が消灯している状態での図１に示す移動無線装置の背面図  （ｂ）電力供給停止表示部が点灯している状態での図１に示す移動無線装置の背面図
【図３】本発明の第２の形態に係る移動無線装置のブロック図
【符号の説明】
【００４９】
１０  移動無線装置
１１  通信部（第１動作部）
１２  非通信部（第２動作部）
１３  電力供給制御部（第２動作部）
１４  電力供給停止表示部（第２動作部）
１５  操作部（第２動作部）
２０  移動無線装置
２１  小電力短距離通信部（第２動作部、小電力通信動作部）
２２  禁止場所判断部（第２動作部）
２３  現在時間取得部（第２動作部）
２４  禁止時間判断部（第２動作部）
２５  通信禁止報知部（第２動作部、禁止報知部）
【図１】
2005192131.tif 000003
【図２】
2005192131.tif 000004
【図３】
2005192131.tif 000005